(57)【特許請求の範囲】
【請求項１】
光を照射する光源と、
前記光源を覆うように配置され、入射した光を透光させて、外部に光を出射させる長尺なカバー部とを備え、
前記カバー部は、
前記カバー部の長手方向に延在し、前記光源の光を透過する２つの透光部と、
前記２つの透光部に挟まれて前記光源の光軸上に存在し、前記長手方向に延在し、前記光源の光を遮光する遮光部とを有し、
前記２つの透光部の各々には、各々が前記長手方向に延在する複数のプリズム部が形成され、
前記複数のプリズム部の各々は、前記光軸から遠ざかる方向に前記光源の光を屈折させ、
前記複数のプリズム部の各々は、前記光源側における前記透光部の内面から、前記光源に向かって突出し、
前記長手方向と略直交する平面で切断したときにおける前記カバー部を断面視した場合において、
前記複数のプリズム部の各々は、略三角形状をなし、前記光軸から遠ざかるように並び、
前記光軸に近い前記プリズム部よりも前記光軸から遠いプリズム部の方が、前記プリズム部の頂角が大きく、かつ、前記内面から前記プリズム部の先端までの高さが小さい
照明装置。
【請求項２】
光を照射する光源と、
前記光源を覆うように配置され、入射した光を透光させて、外部に光を出射させる長尺なカバー部とを備え、
前記カバー部は、
前記カバー部の長手方向に延在し、前記光源の光を透過する２つの透光部と、
前記２つの透光部に挟まれて前記光源の光軸上に存在し、前記長手方向に延在し、前記光源の光を遮光する遮光部とを有し、
前記２つの透光部の各々には、各々が前記長手方向に延在する複数のプリズム部が形成され、
前記複数のプリズム部の各々は、前記光軸から遠ざかる方向に前記光源の光を屈折させ、
前記複数のプリズム部の各々は、前記光源の光が直接入射しないように前記光源側及び前記光軸側に向いていない第２入射面を有している
照明装置。
【請求項３】
光を照射する光源と、
前記光源を覆うように配置され、入射した光を透光させて、外部に光を出射させる長尺なカバー部とを備え、
前記カバー部は、
前記カバー部の長手方向に延在し、前記光源の光を透過する２つの透光部と、
前記２つの透光部に挟まれて前記光源の光軸上に存在し、前記長手方向に延在し、前記光源の光を遮光する遮光部とを有し、
前記２つの透光部の各々には、各々が前記長手方向に延在する複数のプリズム部が形成され、
前記複数のプリズム部の各々は、前記光軸から遠ざかる方向に前記光源の光を屈折させ、
前記遮光部は、前記光源から遠ざかるにつれて、前記光軸と直交する方向における前記光軸から前記遮光部の端面までの距離が大きくなるように前記カバー部に設けられ、
前記遮光部は、前記遮光部に近接している前記プリズム部の先端と前記光源とを結ぶ直線の延長線上に存在している
照明装置。
【請求項４】
前記複数のプリズム部の各々は、前記光源側における前記透光部の内面から、前記光源に向かって突出している
請求項２又は３記載の照明装置。
【請求項５】
前記複数のプリズム部の各々は、前記光源の光が直接入射するように前記光源側及び前記光軸側に向いている第１入射面を有している
請求項１〜４のいずれか１項に記載の照明装置。
【請求項６】
前記複数のプリズム部の各々は、前記光源の光が直接入射しないように前記光源側及び前記光軸側に向いていない第２入射面を有している
請求項１又は３に記載の照明装置。
【請求項７】
前記遮光部は、前記光源から遠ざかるにつれて、前記光軸と直交する方向における前記光軸から前記遮光部の端面までの距離が大きくなるように前記カバー部に設けられている
請求項１〜６のいずれか１項に記載の照明装置。
【請求項８】
前記遮光部は、前記光源の光を反射する反射部である
請求項１〜７のいずれか１項に記載の照明装置。
【請求項９】
前記透光部及び前記遮光部は、多色成形により一体的に形成されている
請求項１〜８のいずれか１項に記載の照明装置。
【請求項１０】
請求項１〜９のいずれか１項に記載の照明装置と、
商品を収容する陳列室に配置され、前記商品を陳列する陳列棚とを備え、
当該照明装置は、前記陳列室内で光を照射するように、前記陳列棚と略直交するように配置されている
リーチインショーケース。
【発明の詳細な説明】
【技術分野】
【０００１】
本発明は、光源から照射される光の配光を制御する照明装置及びリーチインショーケースに関し、特にリーチインショーケースの陳列室内で光を照射する照明装置及びこの照明装置を用いたリーチインショーケースに関する。
【背景技術】
【０００２】
従来、光源の一例であるＬＥＤ光源と、ＬＥＤ光源からの光を反射させるように配置する反射板とを用いた照明装置が知られている（例えば特許文献１参照）。
【先行技術文献】
【特許文献】
【０００３】
【特許文献１】特開２００９−１９５２７３号公報
【発明の概要】
【発明が解決しようとする課題】
【０００４】
しかしながら、特許文献１に記載された照明装置では、光源からの光を反射部材で反射させて配光制御を行っているが、反射部材では適切な配光制御を行うことが難しい。また、配光制御するために反射部材を用いるため、部品点数の増加によるコストの増大化や、部品点数の増加による構造の複雑化が問題となる。
【０００５】
本発明は、このような課題を解決するためになされたものであり、所望の方向に配光制御を行いつつ、部品点数の増加による製造コストの低廉化を実現することができる照明装置及びリーチインショーケースを提供することを目的とする。
【課題を解決するための手段】
【０００６】
上記課題を解決するために、本発明に係る照明装置の一態様は、光を照射する光源と、前記光源を覆うように配置され、入射した光を透光させて、外部に光を出射させる長尺なカバー部とを備え、前記カバー部は、前記カバー部の長手方向に延在し、前記光源の光を透過する２つの透光部と、前記２つの透光部に挟まれて前記光源の光軸上に存在し、前記長手方向に延在し、前記光源の光を遮光する遮光部とを有し、前記２つの透光部の各々には、各々が前記長手方向に延在する複数のプリズム部が形成され、前記複数のプリズム部の各々は、前記光軸から遠ざかる方向に前記光源の光を屈折させ、前記複数のプリズム部の各々は、前記光源側における前記透光部の内面から、前記光源に向かって突出し、前記長手方向と略直交する平面で切断したときにおける前記カバー部を断面視した場合において、前記複数のプリズム部の各々は、略三角形状をなし、前記光軸から遠ざかるように並び、前記光軸に近い前記プリズム部よりも前記光軸から遠いプリズム部の方が、前記プリズム部の頂角が大きく、かつ、前記内面から前記プリズム部の先端までの高さが小さい。
また、本発明の一態様に係る照明装置は、光を照射する光源と、前記光源を覆うように配置され、入射した光を透光させて、外部に光を出射させる長尺なカバー部とを備え、前記カバー部は、前記カバー部の長手方向に延在し、前記光源の光を透過する２つの透光部と、前記２つの透光部に挟まれて前記光源の光軸上に存在し、前記長手方向に延在し、前記光源の光を遮光する遮光部とを有し、前記２つの透光部の各々には、各々が前記長手方向に延在する複数のプリズム部が形成され、前記複数のプリズム部の各々は、前記光軸から遠ざかる方向に前記光源の光を屈折させ、前記複数のプリズム部の各々は、前記光源の光が直接入射しないように前記光源側及び前記光軸側に向いていない第２入射面を有している。
また、本発明の一態様に係る照明装置は、光を照射する光源と、前記光源を覆うように配置され、入射した光を透光させて、外部に光を出射させる長尺なカバー部とを備え、前記カバー部は、前記カバー部の長手方向に延在し、前記光源の光を透過する２つの透光部と、前記２つの透光部に挟まれて前記光源の光軸上に存在し、前記長手方向に延在し、前記光源の光を遮光する遮光部とを有し、前記２つの透光部の各々には、各々が前記長手方向に延在する複数のプリズム部が形成され、前記複数のプリズム部の各々は、前記光軸から遠ざかる方向に前記光源の光を屈折させ、前記遮光部は、前記光源から遠ざかるにつれて、前記光軸と直交する方向における前記光軸から前記遮光部の端面までの距離が大きくなるように前記カバー部に設けられ、前記遮光部は、前記遮光部に近接している前記プリズム部の先端と前記光源とを結ぶ直線の延長線上に存在している。
【０００７】
また、本発明の一態様に係るリーチインショーケースは、照明装置と、商品を収容する陳列室に配置され、前記商品を陳列する陳列棚とを備え、当該照明装置は、前記陳列室内で光を照射するように、前記陳列棚と略直交するように配置されている。
【発明の効果】
【０００８】
本発明によれば、所望の方向に配光制御を行いつつ、部品点数の増加による製造コストの低廉化を実現することができる。
【図面の簡単な説明】
【０００９】
【図１】実施の形態に係るリーチインショーケースの斜視図である。
【図２】図１のＩＩ−ＩＩ線における実施の形態に係るリーチインショーケースの断面図である。
【図３】実施の形態に係る照明装置の斜視図である。
【図４】図３のＩＶ−ＩＶ線における実施の形態に係る照明装置の断面図である。
【図５】実施の形態に係るカバー部の部分拡大断面図である。
【図６】実施の形態に係る照明装置の配光曲線を示す図である。
【図７】実施の形態に係る照明装置の照度分布を示す図である。
【図８】比較例１に係る照明装置の配光曲線を示す図である。
【図９】比較例１に係る照明装置の照度分布を示す図である。
【図１０】比較例２に係る照明装置におけるカバー部の断面図である。
【図１１】比較例２に係る照明装置の配光曲線を示す図である。
【図１２】比較例３に係る照明装置の配光曲線を示す図である。
【図１３】比較例３に係る照明装置の配光曲線を示す図である。
【図１４】比較例３に係る照明装置の照度分布を示す図である。
【発明を実施するための形態】
【００１０】
（本発明の基礎のとなった知見）
従来のリーチインショーケースに用いられている照明装置では、リーチインショーケースの陳列室を照らすために、反射板を用いて所望の方向に配光制御したり、光軸が所望の方向に向くように光源を配置するとともに反射板を用いて配光制御したりしている。
【００１１】
反射板を用いて所望の方向に配光制御する場合では、光軸上に反射板を配置して配光制御を行うが、この場合では、配光に斑（輝度斑、色斑）が生じ易く、配光制御を行い難い。また、この場合では、反射板を設ける必要があるため、リーチインショーケースの大型化や、部品点数が増加することにより製造コストが高騰化する。
【００１２】
光軸が所望の方向に向くように光源を配置するとともに反射板を用いて配光制御する場合では、光源からの光が広がらないように、光軸に対して対称に反射板を配置して配光制御を行えば、上述の方法に比べて配光制御を行い易くなる。しかし、この場合では、光軸を所望の方向に向ける必要があるため、光源の配置により、照明装置の構造が複雑化してしまう。
【００１３】
このように、反射板を用いた照明装置の配光分布及び照度について図８、図９を用いて説明する。
【００１４】
図８は、比較例１に係る照明装置の配光曲線を示す図である。図９は、比較例１に係る照明装置の照度分布を示す図である。図９は、上下方向の長さが１．６ｍ、左右方向の長さが０．７ｍの開口部２ｃに２本の照明装置を配置した状態の照度分布を示し、２本の照明装置がリーチインショーケースの陳列室に光を照射している状態である。図９は、図１のリーチインショーケースに、長さ１．４６０ｍの２本の照明装置を上下方向に直立した状態で０．７ｍの間隔を開けて、互いに向き合うように平行に並べ、この状態で計測した場合の照明装置の照度分布である。
【００１５】
図８に示すように、反射板を用いた照明装置の最大光度が約５００ｃｄであり、配光角が約４５°である。配光角とは、配光曲線において、最大光度の１/２に等しい光度が出射する角度範囲をいう。光軸の方向を０°とした場合において、最大光度における配光曲線の角度は、約８０°及び約−８０°である。配光曲線の形状は、ずんぐりして丸みを帯びる形状をなしている。配光角が約４５°もあれば、図９に示す照度分布を示す図では、光源の近くに大きな斑が存在し、照度の高低差が大きい。このため、この照明装置では、均斉度が低い。なお、配光曲線の角度の０°を後方向、配光曲線の角度の９０°を左方向、配光曲線の角度の−９０°を右方向とする。
【００１６】
そこで、本発明では、所望の方向に配光制御を行いつつ、部品点数の増加による製造コストの低廉化を実現する照明装置及びリーチインショーケースを提供する。
【００１７】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１８】
なお、各図は、模式図であり、必ずしも厳密に図示されたものではない。また、各図において、実質的に同一の構成に対しては同一の符号を付しており、重複する説明は省略又は簡略化する。
【００１９】
（実施の形態）
以下、本発明の実施の形態に係る照明装置及び照明装置を用いたリーチインショーケースについて説明する。
【００２０】
［構成］
まず、本発明の実施の形態に係るリーチインショーケースの構成について、図１〜図５を用いて説明する。
【００２１】
図１は、実施の形態に係るリーチインショーケースの斜視図である。図２は、図１のＩＩ−ＩＩ線における実施の形態に係るリーチインショーケースの断面図である。図３は、実施の形態に係る照明装置の斜視図である。図４は、図３のＩＶ−ＩＶ線における実施の形態に係る照明装置の断面図である。図５は、実施の形態に係るカバー部の部分拡大断面図である。
【００２２】
図１では、リーチインショーケースにおいて、扉側の方向を前方向、扉側とは反対側を後方向と規定し、扉の取手側を左方向、扉の取手側とは反対側を右方向と規定し、リーチインショーケースの地面側を下方向、下方向とは反対側を上方向と規定する。また、図２では、リーチインショーケースにおいて、扉側の方向を前方向、扉側とは反対側を後方向と規定して、前後、左右及び上下の各方向を表示する。そして、図３以降の各図に示す各方向は、全て図２に示す各方向に対応させて表示する。なお、図１では、上下方向、左右方向及び前後方向は、使用態様によって変化するため、これには限定されない。以降の図においても、同様である。
【００２３】
図１に示すように、リーチインショーケース１は、内部に食品等を冷蔵及び冷凍保存することが可能な箱体である。リーチインショーケース１は、例えばスーパーマーケットやコンビニエンスストア等に設置される扉３付きの低温ショーケースである。
【００２４】
リーチインショーケース１は、陳列室２ａが設けられている本体部２と、本体部２に対して開閉可能な三枚の扉３と、図２に示す４本の照明装置５とを有している。
【００２５】
本体部２は、陳列室２ａを冷却する圧縮機等で構成される冷却装置や、冷却装置を制御する制御部や、冷却装置、制御部等に系統電力からの電力を供給する電源部などを収容している。本体部２の陳列室２ａには、食品等を陳列する複数段の陳列棚２ｂが架設されている。なお、陳列室２ａの底面も陳列棚２ｂである。陳列室２ａは、前方に開放して、外部から食品等を搬入する矩形状の開口部２ｃが設けられている。開口部２ｃは、開口部２ｃの下端から上端まで延在する長尺の４本の支柱２ｄにより３つに分割されている。支柱２ｄは、本体部２に組み付けられている。４つの開口部２ｃの各々は、大きさ、形状等が略同一である。
【００２６】
３つの扉３各々は、陳列室２ａを透視可能なガラス板３ａと、ガラス板３ａを支持する枠体３ｂとを備え、陳列室２ａの前面における３つの開口部２ｃを一対一で開閉可能に設けられている。３つの扉３の各々は、大きさ、形状等が略同一の構成である。枠体３ｂは、ヒンジ等を介して支柱２ｄに回動可能に軸支されている。枠体３ｂは、開口部２ｃを閉鎖時に、支柱２ｄの前面に密着して陳列室２ａの開口部２ｃを閉塞する。
【００２７】
図２に示すように、４本の照明装置５は、４本の支柱２ｄに一対一で配置されている。照明装置５は、リーチインショーケース１を正面視した場合において、支柱２ｄの後面で、支柱２ｄと重なるように配置されている。照明装置５は、上下方向に長尺であり、主に左右方向に光を照射する。
【００２８】
図２及び図３に示すように、照明装置５は、器具本体５０と、２つのエンドキャップ５１と、発光部７０とを有する。
【００２９】
器具本体５０は、長尺の筒状をなしており、照明装置５のベースとなる部材である。器具本体５０は上端及び下端で開いている。器具本体５０には、照明装置５と電気的に接続する図示しないコネクタが設けられている。照明装置５がコネクタに嵌め合わされることで、照明装置５の発光に必要な電力が器具本体５０の図示しない電源部へ供給される。
【００３０】
器具本体５０の上下方向の両端には、それぞれエンドキャップ５１が取り付けられている。エンドキャップ５１は、合成樹脂からなり、器具本体５０の係合部と係合することで器具本体５０に固定され、器具本体５０の両端を塞いでいる。
【００３１】
なお、本実施の形態では、照明装置５の点灯、消灯および調光等の操作は、器具本体５０に設けられた操作パネルを通じて行われるが、リーチインショーケース１とは独立したリモコン装置を介して操作が行われてもよい。このような場合、操作パネルと照明装置５との間の信号のやり取りのための制御線が照明装置５に接続される。
【００３２】
器具本体５０は、後述する遮光部６３を除き、透光性を有し、例えばアクリルやポリカーボネート等の透明樹脂材料又はガラス材料等の透光性材料によって構成された光学部材である。この器具本体５０は、二色成形（多色成形の一例）により、後述する収容部５３及び後述する２つの透光部６１と、これら透光部６１の間に設けられる遮光部６３とを一体的に成形している。本実施の形態では、２つの透光部６１と遮光部６３とは、いずれも同一の材料であるポリカーボネートを用いているが、異なる性質のポリカーボネートが用いられている。なお、２つの透光部６１と遮光部６３とは、異なる材料を用いてもよい。
【００３３】
なお、器具本体５０の製造方法は特に限定されないが、押し出し成形により製造する方法が好ましい。押し出し成形により製造する場合は、透明樹脂材料を、押出成形機で加熱、溶融、混練して、押出機出口に設けられた押出用のダイを通して押出し、サイジングプレート、サイジングダイ、水槽などを備えたサイジング及び冷却ゾーンで最終断面形状に整形しながら冷却固化させ、目的とする形状の器具本体５０を得ることができる。
【００３４】
図３に示すように、器具本体５０は、収容部５３と、カバー部６０とを有している。
【００３５】
収容部５３とカバー部６０とは一体となっており、収容部５３がカバー部６０の後側である。収容部５３は、その後方面が支柱２ｄに取り付けられる。
【００３６】
図４に示すように、器具本体５０については、左右方向及び前後方向で規定される平面で切断したときにおける器具本体５０を断面視した場合において以下に説明する。収容部５３の内面には、断面視で三角形状をなした上下方向に長尺の凸部が複数形成されている。
【００３７】
収容部５３には、発光部７０、制御回路、制御線、発光部に電力を供給する電源部等が収容されている。収容部５３の内面には、発光部７０等を固定する左右一対のスライド支持部５１ａが設けられている。左右一対のスライド支持部５１ａは、レールのように所定間隔を隔てて、収容部５３の内面から突出した２本の突部である。発光部７０等を収容部５３の取り付けは、左右一対のスライド支持部５１ａにスライドさせて取り付ける。
【００３８】
電源部は、発光部７０を発光させるための電力を生成する電源回路によって構成されている。電源部は、例えば、商用電源等の外部電源からの交流電力を、整流、平滑及び降圧等して所定レベルの直流電力に変換し、当該直流電力を発光部７０に供給する。電源部は、制御線等の電力線によってリーチインショーケース１の電源部を介して商用電源と電気的に接続される。
【００３９】
発光部７０は、上下方向に長尺な板状をなし、複数の光源７１と、各光源７１が配置される基板７２とを有し、調光制御および調色制御が可能な発光モジュールである。
【００４０】
光源７１は、基板７２上に一列に並ぶように実装されている。光源７１は、いわゆるＳＭＤ（Ｓｕｒｆａｃｅ  Ｍｏｕｎｔ  Ｄｅｖｉｃｅ）型のＬＥＤ素子である。ＳＭＤ型のＬＥＤ素子とは、具体的には、樹脂成型されたキャビティの中にＬＥＤチップ（発光素子）が実装され、キャビティ内に蛍光体含有樹脂が封入されたパッケージ型のＬＥＤ素子である。光源７１は、照明装置５に設けられている制御回路により制御されて点灯及び消灯を行う。また、各光源７１は、制御回路が電源部を制御して調光調色が行われる。
【００４１】
なお、光源７１は、このような構成に限定されるものではなく、光源７１の基板７２上にＬＥＤチップが直接的に実装されたＣＯＢ（Ｃｈｉｐ  Ｏｎ  Ｂｏａｒｄ）型の発光モジュールが用いられてもよい。また、光源７１が有する発光素子は、ＬＥＤに限定されるものではなく、例えば、半導体レーザ等の半導体発光素子、または、有機ＥＬ（Ｅｌｅｃｔｒｏ  Ｌｕｍｉｎｅｓｃｅｎｃｅ）や無機ＥＬ等のＥＬ素子等その他の固体発光素子であってもよい。
【００４２】
基板７２は、複数の光源７１を実装するための実装基板であって、例えばセラミックス基板、樹脂基板又は絶縁被覆されたメタルベース基板などである。また、基板７２は、例えば平面視において矩形状である平面を有する板状である。なお、基板７２には、光源７１を発光させるための直流電力を外部から受電するための一対の電極端子（正電極端子及び負電極端子）が形成されている。
【００４３】
基板７２は、光源を実装している側（後側）とは反対側の面が取付板７３に固定されている。取付板７３の両端縁は、左右一対のスライド支持部５１ａに、上下方向から挟み込まれるように支持されている。
【００４４】
カバー部６０は、上下方向に長尺であり、光源７１から発せられた光を透過させる部材である。また、本実施の形態では、カバー部６０は、光源７１から発せられた光を所定の方向に配光制御する機能を有している。
【００４５】
カバー部６０は、器具本体５０に取り付けられた光源７１等を覆うように器具本体５０に設けられている。カバー部６０は、断面視した場合において、円弧状をなしている。カバー部６０は、長尺な２つの透光部６１と、長尺な遮光部６３とを有している。
【００４６】
２つの透光部６１の各々は、光源７１から発せられた光を透過させる部材である。２つの透光部６１の各々は、遮光部６３を挟み、かつ、光軸Ｘ１に対して左右対称に配置されている。一方（左側）の透光部６１は、遮光部６３の左端から左前側に向かって、光源７１側を中心にして弧を描くように延在している。他方（右側）の透光部６１は、遮光部６３の右端から右前側に向かって、光源７１側を中心にして弧を描くように延在している。つまり、左側の透光部６１と、右側の透光部６１とは、上下方向及び左右方向で規定される平面に対して対称に配置されている。２つの透光部６１の各々は、上下方向（長手方向の一例）と略直交する平面（左右方向及び前後方向で規定される平面）で切断したときにおける透光部６１を断面視した場合において、円弧状をなしている。
【００４７】
２つの透光部６１の各々には、入射面６１ａと、出射面６１ｂとが形成されている。
【００４８】
入射面６１ａは、光源７１からの光が入射する２つの透光部６１の各々の内面である。出射面６１ｂは、光源７１からの光が出射する２つの透光部６１の各々の外面である。
【００４９】
２つの透光部６１の各々の入射面６１ａ側には、光源７１に向かって突出する複数のプリズム部６２が形成されている。本実施の形態において、２つの透光部６１には、６つのプリズム部６２がそれぞれ形成されている。右側のプリズム部６２は、上下方向に長尺であり、遮光部６３から遠ざかる方向（右方向）に向かって並ぶように形成されている。左側のプリズム部６２は、上下方向に長尺であり、遮光部６３から遠ざかる方向（左方向）に向かって並ぶように形成されている。複数のプリズム部６２の各々は、略三角形状をなし、三角波状に配置されている。図５に示すように、プリズム部６２は、光軸Ｘ１から遠ざかるにつれて、プリズム部６２の頂角θが大きくなり、かつ、透光部６１の入射面６１ａから先端までの高さが次第に小さくなり、かつ、短手方向の幅が大きくなっている。プリズム部６２の頂角θは、断面視で、後述する第１入射面６２ａと後述する第２入射面６２ｂとの延長面上で交差する角度である。なお、本実施の形態において、２つの透光部６１には、６つのプリズム部６２がそれぞれ形成されているがプリズム部６２の数は、５つ以下でもよく、７つ以上でもよい。また、プリズム部６２の短手方向の幅も、適宜変更してもよい。
【００５０】
なお、２つの透光部６１の各々において、光源７１に対して左右方向では、光源７１からの光が左右方向に出射し易いため、プリズム部６２が形成されていない。
【００５１】
図４に示すように、プリズム部６２の先端側は、丸面取りされている。また、一のプリズム部６２と、このプリズム部６２に隣接する他のプリズム部６２との間の谷部、つまり、底部も丸面取りされている。
【００５２】
プリズム部６２は、第１入射面６２ａと、第２入射面６２ｂとを有している。
【００５３】
第１入射面６２ａは、光源７１からの光が直接入射するように光源７１側及び光軸Ｘ１側に向いている。言い換えれば、光源７１からの光が第１入射面６２ａに直接入射するように、第１入射面６２ａ及び光源７１を結ぶ直線と第１入射面６２ａとが交差している（第１入射面６２ａと光源７１とが対面している）。また、右側におけるカバー部６０において、第１入射面６２ａは、プリズム部６２の左側の面である。左側におけるカバー部６０において、第１入射面６２ａは、プリズム部６２の右側の面である。右側のカバー部６０の第１入射面６２ａ及び左側のカバー部６０の第１入射面６２ａは、光軸Ｘ１から遠ざかるにつれて短手方向の幅が大きくなっている。
【００５４】
第２入射面６２ｂは、光源７１からの光が直接入射しないように光源７１側及び光軸Ｘ１側に向いていない。言い換えれば、光源７１からの光が第２入射面６２ｂに直接入射しないように、第２入射面６２ｂ及び光源７１を結ぶ直線と第２入射面６２ｂとが交差していない。また、右側におけるカバー部６０において、第２入射面６２ｂは、プリズム部６２の右側の面であり、第１入射面６２ａと反対側の面である。左側におけるカバー部６０において、第２入射面６２ｂは、プリズム部６２の左側の面であり、第１入射面６２ａと反対側の面である。第２入射面６２ｂは、光軸Ｘ１から遠ざかるにつれて短手方向の幅が小さくなる。
【００５５】
なお、光源７１から照射した光は、第２入射面６２ｂに直接入射し難くなるように、光源７１が第２入射面６２ｂに向かって照射する直線の延長線と、第２入射面６２ｂとが一致していることが好ましい。
【００５６】
遮光部６３は、光源７１からの光を反射する高反射材料の樹脂であるが、光源７１からの光を吸収する光吸収材料等でもよい。高反射材料としては、ポリブチレンテレフタレート（ＰＢＴ）等の硬質の白色樹脂材料によって形成されたものを用いてもよいし、遮光部６３の内面に反射面として銀やアルミニウム等の金属蒸着膜（金属反射膜）を形成したものを用いてもよい。
【００５７】
遮光部６３は、光源７１の光軸Ｘ１上に存在し、光軸Ｘ１に対して左右対称に配置されている。遮光部６３は、光源７１の光を遮光する。本実施の形態では、遮光部６３は、光源７１からの光を反射する反射部である。遮光部６３は、断面視で、内面側及び外面側が円弧状に形成されている。遮光部６３の内面側及び外面は、光源７１側を中心とする円弧である。遮光部６３は、光源７１に近づくほど小径で、光源７１から遠ざかるほど大径となっている。具体的には、遮光部６３は、断面視で、光源７１から遠ざかるにつれて、光軸Ｘ１と直交する方向における、光軸Ｘ１から遮光部６３の端面までの距離が大きくなる、扇形状をなしている。
【００５８】
遮光部６３は、遮光部６３に最も近接している透光部６１のプリズム部６２の先端と光源７１とを結ぶ直線の延長線上に存在している。遮光部６３に最も近接している透光部６１のプリズム部６２とは、右側における透光部６１では左端側のプリズム部６２であり、左側における透光部６１では右端側のプリズム部６２である。
【００５９】
２つの透光部６１の入射面６１ａ及び出射面６１ｂには、拡散加工を施すことによって光拡散性を有するように構成されていてもよい。例えば、シボ加工等の表面処理を施すことによって透明パネルの表面に微小凹凸を形成したり、透明カバーの表面にドットパターンを印刷したりすることによって光拡散性を有するように構成してもよい。また、シボ加工等の表面処理がされた微小凹凸を有するフィルムを張り付けてもよい。このように、２つの透光部６１に光拡散機能を持たせることにより、２つの透光部６１に入射した光は２つの透光部６１で拡散しながら２つの透光部６１を透過する。
【００６０】
押し出し成形時にカバー部６０の入射面６１ａ及び出射面６１ｂに微小の凹凸面が形成される。この凹凸面は、光源７１からの光を拡散する効果を有し、配光の輝度斑や色斑を防止する。このため、２つの透光部６１に光を拡散する加工を行うことは、必須の条件ではない。
【００６１】
このようなプリズム部６２を有するカバー部６０を備えた照明装置５において、右側の透光部６１に光源７１からの光が入射した場合について、最も光軸Ｘ１側に近接しているプリズム部６２を用いて説明する。なお、左側の透光部６１についても同様であり説明を省略する。図５では、光の進行を太い実線で示している。
【００６２】
光源７１からの光が第１入射面６２ａに直接入射すると、図４及び図５に示すように、光軸Ｘ１から遠ざかるように右側に屈折し、透光部６１の外面から出射する際に、光軸Ｘ１から遠ざかるようにさらに右側に屈折する。また、第２入射面６２ｂは光源７１からの光が直接入射しないように光源７１側及び光軸Ｘ１側に向いていないため、光源７１からの光が第２入射面６２ｂに直接入射し難い。
【００６３】
光源７１からの光がプリズム部６２の先端付近に直接入射すると、この光は、ほぼ直進して遮光部６３の右側の側面で反射し、右側に向かう。そして、左右方向と略平行になるように透光部６１の外面から右側に向かって出射する。
【００６４】
本実施の形態における照明装置５の配光分布及び照度について、図６及び図７を用いて説明する。
【００６５】
図６は、実施の形態に係る照明装置の配光曲線を示す図である。図７は、実施の形態に係る照明装置の照度分布を示す図である。図７は、図９と同様に照明装置を配置した状態で、上下方向の長さが１．６ｍ、左右方向の長さが０．７ｍの開口部２ｃに２本の照明装置を配置した状態の照度分布を示し、２本の照明装置がリーチインショーケースの陳列室に光を照射している状態である。
【００６６】
図６に示すように、この照明装置５の最大光度が約６８０ｃｄであり、配光角が約２５°である。光軸Ｘ１の方向を０°とした場合において、最大光度における配光曲線の角度は、約７５°及び約−７５°である。約７５°及び約−７５°における配光曲線は、図８の配光曲線に比べて、光度が細長く延びている。つまり、この照明装置５では、左右方向に広がるような配光（バッドウイング状の配光）が行われている。また、この照明装置５では、図６の配光曲線で示すように、光軸Ｘ１付近である約３５°から約−３５°までの角度において、遮光部６３が光を遮断している。さらに、この照明装置５では、約８０°より大きい配光曲線の角度及び約−８０°より小さい配光曲線の角度へ配光しないように構成されている。また、この照明装置５では、当該照明装置５と隣接する他の照明装置５において、光軸Ｘ１付近である約３５°から約−３５°までの角度の範囲に配光されないように、プリズム部６２が配光制御を行っている。
【００６７】
図７に示す照度分布を示す図では、図９の照度分布を示す図に比べても、全体的に大きな斑はなく、照度の高低差は小さい。このため、この照明装置５では、反射板を用いた照明装置５よりも均斉度が高い。
【００６８】
本実施の形態におけるカバー部６０は、左右方向の幅１７．５ｍｍを覆うことができる大きさである。カバー部６０は、半径１８ｍｍで形成される円の一部である。基板７２とカバー部６０の外周面における頂点との距離は、８．７ｍｍである。遮光部６３の内周側における左右方向の幅は３ｍｍであり、遮光部６３の外周側における左右方向の幅は６ｍｍである。
【００６９】
［比較例２］
遮光部６３を設けていない比較例２における照明装置５について、図１０及び図１１を用いて説明する。
【００７０】
図１０は、比較例２に係る照明装置におけるカバー部１６０の断面図である。図１１は、比較例２に係る照明装置の配光曲線を示す図である。
【００７１】
この比較例２の照明装置５では、本実施の形態で設けられている遮光部６３を設けておらず、本実施の形態の遮光部６３が設けられている部分にもプリズム部６２を設けている。比較例２に係る照明装置５では、光軸Ｘ１上に遮光部６３が設けられていないため、図１１に示すように、光軸Ｘ１方向側の約７０°から約−７０°までの角度で光が照射されていることが、配光曲線から判る。光軸Ｘ１方向側には、陳列棚２ｂ下方から支持する支持部が配置されていたりするため、商品をこのような場所に陳列することは通常行わない。このため、光軸Ｘ１方向への光の照射を低減させて、光軸Ｘ１から遠ざかる方向（左右方向）に光を照射したい。本実施の形態では、反射板を使用することなく配光制御を行ったり、構造の複雑化を防止したりするために、光軸Ｘ１方向への照射を低減するという課題が生じる。
【００７２】
この照明装置５において、最大光度が約５１０ｃｄであり、配光角が約１５°である。光軸Ｘ１の方向を０°とした場合において、最大光度における配光曲線の角度は、約８３°及び約−８３°である。約８３°及び約−８３°における配光曲線は、光度が細長く延びている。また、配光曲線における光軸Ｘ１方向側の約７０°から約−７０°までの角度で光が照射されていることが配光曲線から判る。光軸Ｘ１方向側の約７０°から約−７０°までの角度における光度は、約１００ｃｄから約２００ｃｄまでの間で揺らいでいる。
【００７３】
光軸Ｘ１付近である約３５°から約−３５°までの角度では、配光の斑が生じていることが判る。このような配光の斑は、カバー部６０の内面と光源７１との距離が近いため、光源７１の照度が小さくても照度分布が高くなってしまうことが主な原因である。本実施の形態における照明装置５では、このような光軸Ｘ１付近である約３５°から約−３５°までの角度の光を遮断するように、遮光部６３を配置している。図６と図１２とを比べて、本実施の形態における照明装置５よりも、比較例２の照明装置５の方が、このような配光に斑が生じている。つまり、比較例２の照明装置５では、光軸Ｘ１付近である約３５°から約−３５°までの角度において、光を遮断することができていない。このため、比較例３の照明装置５を用いたリーチインショーケース１では、リーチインショーケース１の陳列室２ａに配光に斑が生じ、見かかりが悪い。
【００７４】
［比較例３］
次に、遮光部６３の代わりに、透明材を使用した比較例３について、図１２〜図１４を用いて説明する。
【００７５】
図１２は、比較例３に係る照明装置の配光曲線を示す図である。図１３は、比較例３に係る照明装置の配光曲線を示す図である。図１４は、比較例３に係る照明装置の照度分布を示す図である。図１４は、図９と同様に照明装置を配置した状態で、上下方向の長さが１．６ｍ、左右方向の長さが０．７ｍの開口部２ｃに２本の照明装置を配置した状態の照度分布を示し、２本の照明装置がリーチインショーケースの陳列室に光を照射している状態である。
【００７６】
図１２では、この照明装置５の最大光度は、約１０００ｃｄであり、配光角が約１０°である。光軸Ｘ１の方向を０°とした場合において、最大光度における配光曲線の角度は、約８０°及び約−８０°である。約８０°及び約−８０°における配光曲線は、光度が細長く伸びている。また、配光曲線における光軸Ｘ１方向側の約４０°から約−４０°までの角度で光が照射されていることが配光曲線から判る。光軸Ｘ１方向側の約４０°から約−４０°までの角度における光度は、約１００ｃｄから約２００ｃｄまでの間で揺らいでいる。
【００７７】
図１３は、透明材に光拡散性を有する拡散材を付加した部材を使用した場合である。この照明装置５の最大光度が約１９０ｃｄであり、配光角が約１０°である。光軸Ｘ１の方向を０°とした場合において、最大光度における配光曲線の角度は、約８０°及び約−８０°である。配光曲線における光軸Ｘ１方向（約６５°から約−６５°までの角度）へ光が照射されていることが配光曲線から判る。約６５°から約−６５°における配光曲線は、光軸Ｘ１方向で丸みを帯び、かつ、波打っている。約６５°から約−６５°までの角度における光度は、約１３０ｃｄから約１６０ｃｄまでの間で揺らいでいる。透明材に拡散材を付加した部材では、図１２の透明材を使用した場合よりも広い範囲で、拡散材により光が拡散してしまうことが判かった。
【００７８】
図６と図１２及び図１３とを比べて、本実施の形態における照明装置５よりも、比較例３の図１２及び図１３の照明装置５の方が、配光に斑が生じている。つまり、図１２における比較例３の照明装置５では、光軸Ｘ１付近である約４０°から約−４０°までの角度において、光を遮断することができていない。また、図１３における比較例３の照明装置５では、光軸Ｘ１付近である約６５°から約−６５°までの角度において、光を遮断することができていない。このため、比較例３の照明装置５を用いたリーチインショーケース１でも、リーチインショーケース１の陳列室２ａに配光の斑が生じ、見かかりが悪い。
【００７９】
図１４は、図１３における透明材に拡散材を付加した部材を使用した場合の照明装置５である。図１４に示す照度分布を示す図では、図７の照度分布を示す図に比べても、全体的に大きな斑が存在し、照度の高低差が大きい。このため、比較例３の照明装置５では、本実施の形態の照明装置５よりも均斉度が低い。
【００８０】
［作用効果］
次に、本実施の形態おける照明装置５の作用効果について説明する。
【００８１】
上述したように、本実施の形態に係る照明装置５は、光を照射する光源７１と、光源７１を覆うように配置され、入射した光を透光させて、外部に光を出射させる長尺なカバー部６０とを備えている。また、カバー部６０は、カバー部６０の上下方向に延在し、光源７１の光を透過する２つの透光部６１と、２つの透光部６１に挟まれて光源７１の光軸Ｘ１上に存在し、上下方向に延在し、光源７１の光を遮光する遮光部６３とを有している。さらに、２つの透光部６１の各々には、各々が上下方向に延在する複数のプリズム部６２が形成されている。そして、複数のプリズム部６２の各々は、光軸Ｘ１から遠ざかる方向に光源７１の光を屈折させる。
【００８２】
この構成によれば、光源７１からの光は、透光部６１のプリズム部６２を透過して光軸Ｘ１から遠ざかる方向に屈折する。また、遮光部６３は、光軸Ｘ１上に存在するため、遮光部６３より後方向に光が照射され難くなるため、図１０のような遮光部６３を設けていないカバー部１６０に比べて配光に斑が生じ難い。このため、右側の透光部６１に入射した光は光軸Ｘ１から遠ざかる方向である略右方向に屈折し、左側の透光部６１に入射した光は光軸Ｘ１から遠ざかる方向である略左方向に屈折する。その結果、２つの透光部６１により、略左右方向に広がるように配光するとともに、後方向への光は遮断される。このため、反射板などの部材を用いることなく、配光制御を行うことができる。
【００８３】
したがって、所望の方向に配光制御を行いつつ、部品点数の増加による製造コストの低廉化を実現することができる。
【００８４】
また、本実施の形態に係るリーチインショーケース１は、照明装置５と、商品を収容する陳列室２ａに配置され、商品を陳列する陳列棚２ｂとを備えている。また、照明装置５は、陳列室２ａ内で光を照射するように、陳列棚２ｂと略直交するように配置されている。
【００８５】
この構成においても、照明装置５を備えたリーチインショーケース１では、同様の作用効果を奏する。
【００８６】
また、本実施の形態に係る照明装置５において、複数のプリズム部６２の各々は、光源７１側における透光部６１の内面から、光源７１に向かって突出している。
【００８７】
この構成によれば、光源７１の光を光軸Ｘ１から遠ざかる方向（光軸Ｘ１と交差する略左右方向）に配光する。このため、光軸Ｘ１と交差する略左右方向に配光制御をより行い易くなる。
【００８８】
また、本実施の形態に係る照明装置５は、上下方向と略直交する平面で切断したときにおけるカバー部６０を断面視した場合において、複数のプリズム部６２の各々は、略三角形状をなし、光軸Ｘ１から遠ざかるように並んでいる。また、上下方向と略直交する平面で切断したときにおけるカバー部６０を断面視した場合において、光軸Ｘ１に近いプリズム部６２よりも光軸Ｘ１から遠いプリズム部６２の方が、プリズム部６２の頂角θが大きく、かつ、内面からプリズム部６２の先端までの高さが小さい。
【００８９】
この構成によれば、光源７１からの光は、プリズム部６２で屈折されて略左右方向に照射される。このため、右側の透光部６１により略右方向に向かうように配光され、左側の透光部６１により略左方向に向かうように配光される。このため、配光制御をより行い易い。
【００９０】
また、本実施の形態に係る照明装置５において、複数のプリズム部６２の各々は、光源７１の光が直接入射するように光源７１側及び光軸Ｘ１側に向いている第１入射面６２ａを有している。
【００９１】
この構成によれば、光源７１の光が第１入射面６２ａに直接入射すると、光軸Ｘ１から遠ざかる方向に屈折する。このため、２つの透光部６１により左右方向に広がるように配光されるため、配光制御をより行い易くなる。
【００９２】
また、本実施の形態に係る照明装置５において、複数のプリズム部６２の各々は、光源７１からの光が直接入射しないように光源７１側及び光軸Ｘ１側に向いていない第２入射面６２ｂを有している。
【００９３】
この構成によれば、光源７１の光が第１入射面６２ａに直接入射し難いため、光軸Ｘ１側に光が照射され難くなる。
【００９４】
また、本実施の形態に係る照明装置５において、遮光部６３は、光源７１から遠ざかるにつれて、光軸Ｘ１と直交する方向における光軸Ｘ１から遮光部６３の端面までの距離が大きくなるようにカバー部６０に設けられている。
【００９５】
この構成によれば、遮光部６３の右側面に入射した光は反射して右方向に出射し、遮光部６３の左側面に入射した光は反射して左方向に出射する。このため、光軸Ｘ１近傍の光が左右方向に広がるように配光されるため、遮光部６３より後方向に光が照射され難い。
【００９６】
また、本実施の形態に係る照明装置５において、遮光部６３は、遮光部６３に近接しているプリズム部６２の先端と光源７１とを結ぶ直線の延長線上に存在している。
【００９７】
この構成によれば、遮光部６３に最も近接しているプリズム部６２の先端から入射した光は、遮光部６３の側面で反射する。このため、光軸Ｘ１近傍の光が左右方向に広がるように配光されるため、後方向に照射する光がより減少する。
【００９８】
また、本実施の形態に係る照明装置５において、遮光部６３は、光源７１の光を反射する反射部である。
【００９９】
この構成によれば、透光部６１を光吸収部材にする場合に比べて、左右方向に出射する光が増加する。
【０１００】
また、本実施の形態に係る照明装置５は、透光部６１及び遮光部６３は、多色成形により一体的に形成されている。
【０１０１】
この構成によれば、それぞれが異なる特性の透光部６１及び遮光部６３を有する部材を容易に形成することができる。
【０１０２】
（その他変形例等）
以上、本発明に係る照明装置及びリーチインショーケースについて、本実施の形態に基づいて説明したが、本発明は、上記実施の形態に限定されるものではない。
【０１０３】
なお、上記実施の形態では、一対のスライド支持部は、取付板の位置を変えることができるように、複数設けられていてもよい。この場合、取付板を一対のスライド支持部のいずれかにスライドさせて取り付けることで、位置を調整することができる。このため、プリズム部に対して発光部等の位置を調節することができる。
【０１０４】
その他、本実施の形態に対して当業者が思いつく各種変形を施して得られる形態や、本発明の趣旨を逸脱しない範囲で本実施の形態における構成要素及び機能を任意に組み合わせることで実現される形態も本発明に含まれる。
【符号の説明】
【０１０５】
１  リーチインショーケース
２ａ  陳列室
２ｂ  陳列棚
５  照明装置
６０  カバー部
６１  透光部
６１ａ  入射面（透光部の内面）
６２  プリズム部
６２ａ  第１入射面
６２ｂ  第２入射面
６３  遮光部（反射部）
７１  光源
Ｘ１  光軸
θ  頂角
【図１】
0006722884.tif 000002
【図２】
0006722884.tif 000003
【図３】
0006722884.tif 000004
【図４】
0006722884.tif 000005
【図５】
0006722884.tif 000006
【図６】
0006722884.tif 000007
【図７】
0006722884.tif 000008
【図８】
0006722884.tif 000009
【図９】
0006722884.tif 000010
【図１０】
0006722884.tif 000011
【図１１】
0006722884.tif 000012
【図１２】
0006722884.tif 000013
【図１３】
0006722884.tif 000014
【図１４】
0006722884.tif 000015